(57)【要約】【課題】周辺機器のうち、純正品のみの接続を許可することができるようにする。【解決手段】本発明に係る情報処理装置に適用可能なカメラ付ディジタル携帯電話機においては、ステップＳ１乃至Ｓ２１において、主制御部は、ＲＦＩＤリーダを制御し、周辺機器を識別するための識別情報を無線通信を介して読み取らせ、無線ＬＡＮモジュールを制御し、ネットワークを介して、識別情報に予め対応付けられた周辺機器の接続に関する接続管理情報を管理する情報管理装置であるタグ管理サーバに、読み取られた識別情報を送信させるとともに、タグ管理サーバから接続管理情報を受信させる。主制御部は、受信された接続管理情報に基づいて周辺機器のカメラ付ディジタル携帯電話機への接続が許可されるか否かを判定し、周辺機器のカメラ付ディジタル携帯電話機への接続が許可されると判定された場合、カメラ付ディジタル携帯電話機への接続を許可するように制御する。【選択図】  図８
2008065774.tif 000002
【特許請求の範囲】
【請求項１】
情報処理装置に接続される周辺機器を識別するための識別情報を無線通信を介して読み取る読取手段と、
前記情報処理装置にネットワークを介して接続される、前記識別情報に予め対応付けられた前記周辺機器の接続に関する情報である接続管理情報を管理する情報管理装置に、前記読取手段により読み取られた前記識別情報を送信する送信手段と、
前記情報管理装置から前記接続管理情報を受信する受信手段と、
前記受信手段により受信された前記接続管理情報に基づいて、前記周辺機器の前記情報処理装置への接続が許可されるか否かを判定する第１の判定手段と、
前記第１の判定手段により前記周辺機器の前記情報処理装置への接続が許可されると判定された場合、前記情報処理装置への接続を許可するように制御する制御手段とを備えることを特徴とする情報処理装置。
【請求項２】
前記読取手段により読み取られた前記識別情報と、前記受信手段により受信された前記接続管理情報を対応付けて記憶する記憶手段をさらに備えることを特徴とする請求項１に記載の情報処理装置。
【請求項３】
前記読取手段により読み取られた前記識別情報が、前記記憶手段によりすでに前記接続管理情報と対応付けられて記憶されている前記識別情報と一致するか否かを照合する照合手段をさらに備え、
前記照合手段により、前記読取手段により読み取られた前記識別情報が、前記記憶手段によりすでに前記接続管理情報と対応付けられて記憶されている前記識別情報と一致しないと照合された場合、前記送信手段は、前記情報管理装置に、前記読取手段により読み取られた前記識別情報を送信し、
前記照合手段により、前記読取手段により読み取られた前記識別情報が、前記記憶手段によりすでに前記接続管理情報と対応付けられて記憶されている前記識別情報と一致すると照合された場合、前記制御手段は、前記情報処理装置への接続を許可するように制御することを特徴とする請求項２に記載の情報処理装置。
【請求項４】
前記第１の判定手段により前記周辺機器の前記情報処理装置への接続が許可されると判定された場合、前記制御手段は、予め設定された所定の時間が経過するまで、前記情報処理装置への接続を許可することを特徴とすることを特徴する請求項１に記載の情報処理装置。
【請求項５】
前記読取手段による前記識別情報の読み取りに失敗した場合、または、前記第１の判定手段により前記周辺機器の前記情報処理装置への接続が許可されないと判定された場合、緊急通信の開始が指示されたか否かを判定する第２の判定手段とをさらに備え、
前記第２の判定手段により緊急通信の開始が指示されたと判定された場合、前記制御手段は、緊急通信の実行を制御することを特徴とする請求項１に記載の情報処理装置。
【発明の詳細な説明】
【技術分野】
【０００１】
本発明は情報処理装置に係り、特に、種々の周辺機器を接続することが可能な情報処理装置に関する。
【背景技術】
【０００２】
最近、携帯電話機やＰＤＡ（Personal Digital Assistant）などの携帯端末には、種々の周辺機器を接続することが可能なコネクタなどの接続部が予め設置されており、これにより、例えば電池パックやＡＣアダプタ、さらにはメモリカードなどの種々の周辺機器を接続して充電を行ったり、機能を拡張することなどが可能となっている。
【０００３】
これらの周辺機器の中には、特定のメーカにより責任をもって製造販売される純正品と、特定のメーカ以外によって製造販売される非純正品が存在する。非純正品については、純正品と異なり、十分な性能が保障されていないばかりか、それを用いる際の安全性も十分には検討されていない。そのため、ユーザが非純正品（例えば、ＡＣアダプタや電池パックなどの非純正品）を用いると、発火などを引き起こす危険性がある。
【０００４】
そこで、従来から純正品か非純正品かを峻別する方法として、物理的な形状を用いた峻別方法が知られている。具体的には、例えば電池パックの場合、電池パックの物理的な形状やコネクタ形状などによって純正品しか本体と嵌合できないようにすることで、純正品か非純正品かを峻別する。また、例えばＡＣアダプタの場合、接続コネクタの突起形状によって純正品のみ差し込めるようにすることで純正品か非純正品かを峻別する。
【０００５】
一方、近年、携帯電話機にＲＦＩＤ（Radio Frequency Identification）リーダを搭載し、このＲＦＩＤリーダを用いて機器や荷物、物品などに付加されたＲＦＩＤからＩＤ情報を読み取る方法が提案されている（例えば、特許文献１参照）。
【０００６】
特許文献１に提案されている方法では、携帯電話機は、所定の操作により周辺のＲＦＩＤからＩＤ情報を取得し、取得されたＩＤ情報に基づいてタグ管理サーバに問い合わせる。タグ管理サーバは、問い合わされたＩＤ情報に対応するタグ管理情報を携帯電話機に提供する。また、物品管理サーバは、タグ管理サーバからの問い合わせに応答して、物品既成情報を携帯電話機に提供する。
【０００７】
これにより、場所に関係なく、所望とする物品に関する情報を容易に取得することができる。
【特許文献１】特開２００３−１５７４７７号公報
【発明の開示】
【発明が解決しようとする課題】
【０００８】
しかしながら、従来の物理的な形状を用いた峻別方法では、物理的な形状の組み合わせに限界があることから、純正品が有する物理的な形状を容易に模倣することができる。そのため、ほぼ同一の物理的な形状をもつ非純正品が市場に流通する場合も考えられ、その結果、物理的な形状のみでは純正品か非純正品かを峻別することができなくなってしまう。
【０００９】
このような場合、周辺機器を使用するユーザ自身が、最終的に純正品であるか非純正品であるかを判断しなければならないが、必ずしも純正品か非純正品かをユーザが正確に判断することができるとは限らず、判断を誤った場合にその安全性が問題となるという課題があった。
【００１０】
特に、移動中や移動先においては、ユーザは取扱説明書などを参照することもできないため、純正品であるか非純正品であるかを判断することがより困難となる。
【００１１】
本発明は、このような状況に鑑みてなされてものであり、周辺機器のうち、純正品のみの接続を許可することができる情報処理装置を提供することを目的とする。
【課題を解決するための手段】
【００１２】
本発明の情報処理装置は、上述した課題を解決するために、情報処理装置に接続される周辺機器を識別するための識別情報を無線通信を介して読み取る読取手段と、情報処理装置にネットワークを介して接続される、識別情報に予め対応付けられた周辺機器の接続に関する情報である接続管理情報を管理する情報管理装置に、読取手段により読み取られた識別情報を送信する送信手段と、情報管理装置から接続管理情報を受信する受信手段と、受信手段により受信された接続管理情報に基づいて、周辺機器の情報処理装置への接続が許可されるか否かを判定する第１の判定手段と、第１の判定手段により周辺機器の情報処理装置への接続が許可されると判定された場合、情報処理装置への接続を許可するように制御する制御手段とを備えることを特徴とする。
【００１３】
本発明の情報処理装置においては、情報処理装置に接続される周辺機器を識別するための識別情報が無線通信を介して読み取られ、情報処理装置にネットワークを介して接続される、識別情報に予め対応付けられた周辺機器の接続に関する情報である接続管理情報を管理する情報管理装置に、読み取られた識別情報が送信され、情報管理装置から接続管理情報が受信され、受信された接続管理情報に基づいて、周辺機器の情報処理装置への接続が許可されるか否かが判定され、周辺機器の情報処理装置への接続が許可されると判定された場合、情報処理装置への接続が許可するように制御される。
【発明の効果】
【００１４】
本発明によれば、周辺機器のうち、純正品のみの接続を許可することができる。
【発明を実施するための最良の形態】
【００１５】
以下、本発明の実施の形態について、図面を参照しながら説明する。
【００１６】
図１は、本発明を適用したネットワークシステム１の構成を表している。
【００１７】
図１に示されるように、本発明に係る情報処理装置に適用可能なカメラ付ディジタル携帯電話機２には、図示せぬＲＦＩＤリーダ（例えば、図４のＲＦＩＤリーダ４９）が内蔵されており、ユーザがカメラ付ディジタル携帯電話機２に周辺機器３を接続したとき（あるいは、接続しようとしたとき）、カメラ付ディジタル携帯電話機２は、内蔵されたＲＦＩＤリーダを用いて、周辺機器３に貼付（あるいは内蔵）された図示せぬＲＦＩＤ（例えば、図６のＲＦＩＤ６１）から周辺機器３を識別するためのＩＤ情報（識別情報）を読み取る。勿論、カメラ付ディジタル携帯電話機２に内蔵されたＲＦＩＤリーダは、外部接続するようにしてもよい。
【００１８】
次に、カメラ付ディジタル携帯電話機２は、ＲＦＩＤリーダにより読み取られたＩＤ情報を、ユーザの現在の場所の付近に予め敷設された無線ＬＡＮ（Local Area Network）のアクセスポイント４からネットワーク（例えば、インターネット、ＬＡＮ（Local Area Network）、ＷＡＮ（Wide Area Network）、その他の各種のネットワークを含む）５を介して、本発明に係る情報管理装置として適用可能なタグ管理サーバ６に送信する。
【００１９】
タグ管理サーバ６は、カメラ付ディジタル携帯電話機２から無線ＬＡＮ（Local Area Network）のアクセスポイント４およびネットワーク５を介して送信されたＩＤ情報を受信し、受信されたＩＤ情報に予め対応付けられた接続管理情報を無線ＬＡＮのアクセスポイント４およびネットワーク５を介してカメラ付ディジタル携帯電話機２に送信する。カメラ付ディジタル携帯電話機２は、タグ管理サーバ９から無線ＬＡＮのアクセスポイント４およびネットワーク５を介して送信された接続管理情報を受信し、受信された接続管理情報に基づいて接続許可処理を行う。すなわち、カメラ付ディジタル携帯電話機２は、この接続管理情報に基づいて接続が検出された周辺機器３のカメラ付ディジタル携帯電話機２への接続が許可されるか否かを判定し、接続が検出された周辺機器３のカメラ付ディジタル携帯電話機２への接続が許可されると判定された場合、周辺機器３のカメラ付ディジタル携帯電話機２への接続を許可する一方、接続が検出された周辺機器３のカメラ付ディジタル携帯電話機２への接続が許可されないと判定された場合、周辺機器３へのカメラ付ディジタル携帯電話機２への接続を許可しないとともに、接続を許可することができない旨を液晶ディスプレイ（例えば、図２の液晶ディスプレイ１７）に表示する。
【００２０】
なお、同一の使用目的（例えば電池パックとしての目的）で用いられる周辺機器３のうち、特定のメーカにより責任をもって製造販売されるものを「純正品」と定義し、純正品以外に特定のメーカ以外によって製造販売されるものを「非純正品」と定義する。
【００２１】
図２は、本発明に係る情報処理装置として適用可能なカメラ付ディジタル携帯電話機２の外観の構成を表している。なお、図２［Ａ］は、カメラ付ディジタル携帯電話機２を約１８０度に見開いたときの正面から見た外観の構成を表しており、図２［Ｂ］は、カメラ付ディジタル携帯電話機２を見開いたときの側面から見た外観の構成を表している。
【００２２】
図２［Ａ］および［Ｂ］に示されるように、カメラ付ディジタル携帯電話機２は、中央のヒンジ部１１を境に第１の筐体１２と第２の筐体１３とがヒンジ結合されており、ヒンジ部１１を介して矢印Ｘ方向に折り畳み可能に形成される。カメラ付ディジタル携帯電話機２の内部の所定の位置には、送受信用のアンテナ（後述する図４のアンテナ４４）が設けられており、内蔵されたアンテナを介して基地局（図示せず）との間で電波を送受信する。
【００２３】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００２４】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００２５】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２６】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Ｙｅｓ」や「Ｎｏ」などの種々の機能をもつことが可能であるため、それぞれ、soft１キーおよびsoft２キーと呼ばれる。
【００２７】
また、第１の筐体１２には、操作キー１４の下部にマイクロフォン１５が設けられており、マイクロフォン１５によって通話時のユーザの音声を集音する。また、第１の筐体１２には、カメラ付ディジタル携帯電話機２の操作を行うサイドキー１６が設けられている。
【００２８】
なお、第１の筐体１２は、背面側に図示しないバッテリパック（電池パック）が挿着されており、終話・電源キーがオン状態になると、バッテリパック（電池パック）から各回路部に対して電力が供給されて動作可能な状態に起動する。
【００２９】
ところで、第１の筐体１２には、第１の筐体１２の下部の所定の位置に抜差自在なメモリカード（後述する図４のメモリカード４６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００３０】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００３１】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００３２】
従って、カメラ付ディジタル携帯電話機２は、このようなメモリカードを挿着可能に構成されているために、メモリカードを介して他の電子機器との間でデータの共有化を図ることができる。
【００３３】
また、所定の機能を拡張するためのモジュール（チップ）をメモリカードに組み込み、メモリカードスロット（図示せず）にそれを装着させることにより、カメラ付ディジタル携帯電話機２の機能をさらに拡張させることができる。
【００３４】
例えば、非接触ＩＣ（Integrated Circuit）チップが組み込まれたメモリカードをカメラ付ディジタル携帯電話機２に装着することにより、非接触ＩＣチップがカメラ付ディジタル携帯電話機２に内蔵されていない場合であっても、非接触ＩＣチップが内蔵された場合と同様の電子決済機能などを有するように機能を拡張させることもできる。
【００３５】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図３のＣＣＤカメラ２０）で撮像した画像、外部のコンテンツサーバ（図示せず）より受信したコンテンツ、メモリカード（後述する図４のメモリカード４６）に記憶されているコンテンツを表示することができる。また、液晶ディスプレイ１７の上部の所定の位置にはスピーカ１８が設けられており、これにより、ユーザは音声通話することが可能である。
【００３６】
また、第１の筐体１２と第２の筐体１３の内部の所定の位置には、カメラ付ディジタル携帯電話機２の状態を検知するための磁気センサ１９a、１９b、１９c、および１９dが設けられる。
【００３７】
図３は、本発明に係る情報処理装置として適用可能なカメラ付ディジタル携帯電話機２の他の外観の構成を表している。図３のカメラ付ディジタル携帯電話機２の状態は、図２のカメラ付ディジタル携帯電話機２の状態から矢印Ｘ方向に回動させた状態である。なお、図３［Ａ］は、カメラ付ディジタル携帯電話機２を閉じたときの正面から見た外観の構成を表しており、図３［Ｂ］は、カメラ付ディジタル携帯電話機２を閉じたときの側面から見た外観の構成を表している。
【００３８】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、カメラ付ディジタル携帯電話機２の現在の電池残量を示す電池ピクト、現在の時刻などが表示される。
【００３９】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００４０】
図４は、本発明に係る情報処理装置として適用可能なカメラ付ディジタル携帯電話機２の内部の構成を表している。
【００４１】
図４に示されるように、カメラ付ディジタル携帯電話機２は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、音楽制御部４８、ＲＦＩＤリーダ４９、無線ＬＡＮモジュール５０、および周辺機器接続検出部５１がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００４２】
電源回路部３２は、ユーザの操作により終話・電源キーがオン状態にされると、バッテリパック（電池パック）から各部に対して電力を供給することによりカメラ付ディジタル携帯電話機２を動作可能な状態に起動する。
【００４３】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することによりカメラ付ディジタル携帯電話機２を統括的に制御する。ＲＡＭは、ＣＰＵが各種の処理を実行する上において必要なデータなどを適宜記憶する。
【００４４】
なお、主制御部３１には、現在の日付と時刻を正確に計測するタイマが内蔵されている。
【００４５】
ここで、ＣＰＵが実行する種々のアプリケーションプログラムは、ＲＯＭや記憶部４７に予めインストールしておくことができる。また、ＣＰＵが実行する種々のアプリケーションプログラムは、図示せぬ基地局を介して通信によってカメラ付ディジタル携帯電話機２にダウンロードすることにより、記憶部４７にインストールすることができる。さらに、ＣＰＵが実行する種々のアプリケーションプログラムは、メモリカード４６に記録しておき、記録再生部４５によって読み出して、記憶部４７にインストールすることも可能である。
【００４６】
カメラ付ディジタル携帯電話機２は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００４７】
また、カメラ付ディジタル携帯電話機２は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００４８】
さらに、カメラ付ディジタル携帯電話機２は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００４９】
これに対してカメラ付ディジタル携帯電話機２は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００５０】
その後カメラ付ディジタル携帯電話機２は、ユーザの操作に応じて受信した電子メールを記録再生部４５を介してメモリカード４６に記録することも可能である。
【００５１】
カメラ付ディジタル携帯電話機２は、画像信号を送信しない場合には、ＣＣＤカメラ２０で撮像した画像信号をカメラインタフェース部４５及びＬＣＤ制御部４６を介して液晶ディスプレイ１７に直接表示する。
【００５２】
カメラ付ディジタル携帯電話機２は、データ通信モード時に画像信号を送信する場合、ＣＣＤカメラ２０で撮像された画像信号をカメラインタフェース部３５を介して画像エンコーダ３４に供給する。
【００５３】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時にカメラ付ディジタル携帯電話機２は、ＣＣＤカメラ２０で撮像中にマイクロフォン１５で集音した音声を音声コーデック４０を介してディジタルの音声信号として多重分離部３８送出する。
【００５４】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００５５】
これに対して、カメラ付ディジタル携帯電話機２では、データ通信モード時に、Ｗｅｂページのデータを受信することができる。
【００５６】
すなわち、カメラ付ディジタル携帯電話機２において、データ通信モードに、例えばＷｅｂページを要求するデータを送信すると、その要求に応じて、Ｗｅｂページのデータが基地局（図示せず）を介して送信される。このＷｅｂページのデータは、アンテナ５４を介して送受信回路部４３および変復調回路部３９で受信される。送受信回路部４３および変復調回路部３９は、受信したＷｅｂページのデータを主制御部３１に送出する。
【００５７】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５８】
また、カメラ付ディジタル携帯電話機２は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００５９】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００６０】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様にカメラ付ディジタル携帯電話機２は、受信したＷｅｂページなどにリンクされたデータをユーザの操作により記録再生部４５を介してメモリカード４６に記録することが可能である。
【００６１】
記憶部４７は、例えば、電気的に書換えや消去が可能な不揮発性メモリであるフラッシュメモリ素子などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００６２】
音楽制御部４８は、記憶部４７に記憶されているオーディオデータの再生動作および一時停止動作や、巻戻し機能、早送り機能、音量ダウン動作、音量アップ動作などの実行を制御する。
【００６３】
ＲＦＩＤリーダ４９は、例えば周辺機器３に予め貼付された（あるいは内蔵された）ＲＦＩＤからＩＤ情報を読み取り、読み取られたＩＤ情報をメインバス４１を介して主制御部３１に供給する。
【００６４】
無線ＬＡＮモジュール５０は、内蔵されたアンテナ（図示せず）を介して、ＩＥＥＥ８０２．１１ａ／ｂ／ｇなどの所定の規格に準拠した無線ＬＡＮ通信を行う。
【００６５】
周辺機器接続検出部５１は、例えばコネクタ接続検出部や光センサなどからなり、カメラ付ディジタル携帯電話機２にいずれかの周辺機器３が物理的に接続されたこと（あるいは、周辺機器３がカメラ付ディジタル携帯電話機３に近接され、物理的に接続されようとしていること）を検出し、その旨をメインバス４１を介して主制御部３１に通知する。
【００６６】
図５は、図４のＲＦＩＤリーダ４９の内部の構成を表している。
【００６７】
図５に示されるように、ＲＦＩＤリーダ４９は、アンテナ５１、変調部５２、発振回路５３、復調部５４、ＳＰＵ（（Signal Processing Unit））５５、バス５６、ＣＰＵ５７、ＲＯＭ５８、ＲＡＭ５９、および入出力インタフェース６０により構成される。
【００６８】
アンテナ５１は、変調部５２から供給された要求信号を、無線通信を介して、周辺機器３に予め貼付された（あるいは内蔵された）ＲＦＩＤ（例えば、図６のＲＦＩＤ６１）に送信する。すなわち、例えば、アンテナ５１は、変調部５２から供給された要求信号を伝送するための電波を輻射する。また、アンテナ５１は、周辺機器３に予め貼付された（あるいは内蔵された）ＲＦＩＤから送信されてきたＩＤ情報（例えば、ＩＤ番号）を受信し、受信したＩＤ情報を復調部５４に供給する。
【００６９】
変調部５２は、発振回路５３から供給された所定の周波数のクロック信号を基づいて、搬送波を生成する。変調部５２は、生成された搬送波に基づいて、ＳＰＵ５５から供給された要求信号を所定の方式により変調することにより変調された要求信号を生成し、変調された要求信号をアンテナ５１に供給する。例えば、変調部５２は、ＳＰＵ５５から供給された要求信号に基づいて、搬送波の位相または搬送波の振幅を変化させることにより変調された要求信号を生成する。
【００７０】
より具体的には、例えば、変調部５２は、発振回路５３から供給される例えば１３．５６ＭＨｚの周波数のクロック信号を搬送波として、ＳＰＵ５５より供給されるデータをＡＳＫ変調し、生成された変調波を、電磁波としてアンテナ５１から出力させる。
【００７１】
発振回路５３は、所定の周波数の、基準となるクロック信号を生成し、生成されたクロック信号を変調部５２に供給する。
【００７２】
復調部５４は、アンテナ５１から供給された、変調されているＩＤ情報を、変調部５３の変調方式に対応する復調方式により復調し、復調されたＩＤ情報をＳＰＵ６５に供給する。例えば、復調部５４は、アンテナ５１を介して取得した変調波（ＡＳＫ（Amplitude Shift Keying）変調波）を復調し、復調されたデータをＳＰＵ５５に出力する。
【００７３】
ＳＰＵ５５は、ＣＰＵ５７から供給された要求信号を、所定の方式により符号化し、符号化された要求信号を変調部５２に供給する。また、ＳＰＵ５５は、復調部５４から供給されたＩＤ情報を、ＩＤ情報の符号化方式に対応する復号方式により復号し、復号されたＩＤ情報をＣＰＵ５７に供給する。
【００７４】
例えば、ＳＰＵ５５は、周辺機器３に予め貼付された（あるいは内蔵された）ＲＦＩＤからのデータが復調部５４から供給されてきたとき、そのデータに対して、例えばマンチェスタ符号化方式などの復号処理を施し、これにより取得したデータをバス５６を介してＣＰＵ５７に供給する。また、ＳＰＵ５５は、周辺機器３に予め貼付された（あるいは内蔵された）ＲＦＩＤに送信する要求信号がバス５６を介して供給されてきたとき、その要求信号にマンチェスタ符号化方式などの復号処理を施し、これにより得られた信号を変調部５２に出力する。
【００７５】
バス５６、ＣＰＵ５７、ＲＯＭ５８、ＲＡＭ５９、および入出力インタフェース６０は、汎用の組み込み型のマイクロプロセッサまたは専用ＩＣなどからなる。ＣＰＵ５７は、ＲＯＭ５８またはＲＡＭ５９に記憶されているプログラムを実行し、ＲＦＩＤリーダ４９全体を統括的に制御する。
【００７６】
例えば、ＣＰＵ５７は、ＩＤ情報の送信を要求する旨の要求信号を生成し、生成した要求信号をＳＰＵ５５に供給する。また、ＣＰＵ５７は、ＳＰＵ５５から供給されたＩＤ情報を取得し、取得されたＩＤ情報を入出力インタフェース６０を介してメインバス４１に供給する。
【００７７】
ＲＯＭ５８は、ＣＰＵ５７が実行するプログラムや各種のデータを記憶している。ＲＡＭ５９は、ＣＰＵ５７が実行するプログラムやデータを適宜記憶する。ＣＰＵ５７、ＲＯＭ５８、ＲＡＭ５９、およびＳＰＵ５５は、バス５６を介して相互に接続される。また、バス５６には、入出力インタフェース６０が接続され、入出力インタフェース６０には、メインバス４１が接続される。
【００７８】
図６は、周辺機器３に予め貼付された（あるいは内蔵された）ＲＦＩＤ６１の構成を表している。
【００７９】
図６に示されるように、ＲＦＩＤ６１は、アンテナ７１、電力発生部７２、変調部７３、発振回路７４、復調部７５、ＳＰＵ７６、バス７７、ＣＰＵ７８、およびＲＯＭ７９により構成される。
【００８０】
アンテナ７１は、ＲＦＩＤリーダ４９から送信されたＩＤ情報の送信を要求する要求信号を受信し、受信した要求信号を復調部７５に供給する。アンテナ７１は、変調部７３から供給されたＩＤ情報を、無線通信を介して、ＲＦＩＤリーダ４９に送信する。すなわち、例えば、アンテナ７１は、変調部７３から供給されたＩＤ情報を伝送するための電波を輻射する。また、アンテナ７１においては、ＲＦＩＤリーダ４９から輻射される所定の周波数の電波により、共振が生じ、起電力が発生する。
【００８１】
電力発生部７２は、アンテナ７１に生じた交流の起電力を基づいて直流電力を発生させ、発生させた直流電力をＲＦＩＤ６１の各部に供給する。なお、電力発生部７２に代えて、電池を内蔵し、内蔵されている電池がＲＦＩＤ６１の各部に電力を供給するようにしてもよい。
【００８２】
変調部７３は、発振回路７４から供給された所定の周波数のクロック信号に基づいて、搬送波を生成する。変調部７３は、搬送波に基づいて、ＳＰＵ７６から供給されたＩＤ情報を所定の方式により変調することにより変調したＩＤ情報を生成し、変調したＩＤ情報をアンテナ７１に供給する。例えば、変調部７３は、ＳＰＵ７６より供給されたマンチェスタ符号化方式で符号化されたＩＤ情報をさらにＡＳＫ変調し、変調されたＩＤ情報を、アンテナ７１を介してＲＦＩＤリーダ４９に送信する。
【００８３】
また、例えば、変調部７３は、ＳＰＵ７６から供給されるＩＤ情報に対応して、例えば、所定のスイッチング素子（図示せず）をオン／オフさせ、スイッチング素子がオン状態であるときだけ、所定の負荷をアンテナ７１に並列に接続させることにより、アンテナ７１の負荷を変動させる。ＡＳＫ変調されたＩＤ情報は、アンテナ７１の負荷の変動により、アンテナ７１を介してＲＦＩＤリーダ４９に送信される（ＲＦＩＤリーダ４９のアンテナ５１の端子電圧を変動させる）（ロードスイッチング方式）。
【００８４】
発振回路７４は、アンテナ７１が受信する要求信号の周波数と同じ周波数のクロック信号を生成し、生成されたクロック信号を変調部７３に供給する。例えば、発振回路７４はＰＬＬ（Phase Locked Loop）回路を内蔵し、要求信号のクロック周波数と同一の周波数のクロック信号を発生する。
【００８５】
復調部７５は、アンテナ７１から供給された要求信号を、ＲＦＩＤリーダ４９の変調部５２の変調方式に対応する復調方式により復調し、復調された要求信号をＳＰＵ７６に供給する。例えば、復調部７５は、アンテナ７１を介して受信したＡＳＫ変調波である要求信号を包絡線検波して復調し、復調後の要求信号をＳＰＵ７６に出力する。
【００８６】
ＳＰＵ７６は、復調部７５から供給された要求信号を所定の方式により復号し、復号された要求信号をＣＰＵ７８に供給する。ＳＰＵ７６は、ＣＰＵ７８から供給されたＩＤ情報を、所定の符号化方式により符号化し、符号化されたＩＤ情報を変調部７３に供給する。例えば、ＳＰＵ７６は、復調部７５で復調されたデータがマンチェスタ符号化方式で符号化されている場合、図示せぬＰＬＬ回路から供給されるクロック信号に基づいて、そのデータの復号（マンチェスタコードのデコード）を行い、復号したデータをＣＰＵ７８に供給する。例えば、ＳＰＵ７６は、ＣＰＵ７８から供給されたＩＤ情報をマンチェスタ符号化方式で符号化し、マンチェスタ符号化方式で符号化されたＩＤ情報を変調部７３に供給する。
【００８７】
ＣＰＵ７８は、ＲＯＭ７９に記憶されているプログラムに従って、各種の処理を実行する。ＲＯＭ７９は、ＣＰＵ７８が実行するプログラムや各種のデータを記憶している。また、ＲＯＭ７９は、ＲＦＩＤ６１が貼付されている（あるいは内蔵されている）周辺機器３を識別するためのＩＤ情報を予め記憶している。なお、ＲＯＭ７９には、例えば、マスクＲＯＭ、フラッシュメモリ、ＥＰＲＯＭ（Erasable Programmable Read Only Memory）、またはＥＥＰＲＯＭ（Electrically Erasable Programmable Read Only Memory）などの不揮発性メモリが用いられる。ＳＰＵ７６、ＣＰＵ７８、およびＲＯＭ７９は、バス７７を介して相互に接続される。
【００８８】
図７は、図１のタグ管理サーバ６の内部の構成を表している。
【００８９】
図７に示されるように、ＣＰＵ８１は、ＲＯＭ８２に記憶されているプログラム、または記憶部８８からＲＡＭ８３にロードされたプログラムに従って各種の処理を実行する。
【００９０】
ＲＡＭ８３にはまた、ＣＰＵ８１が各種の処理を実行する上において必要なデータなども適宜記憶される。
【００９１】
ＣＰＵ８１、ＲＯＭ８２、およびＲＡＭ８３には、バス８４を介して相互に接続されている。このバス８４にはまた、入出力インタフェース８５が接続される。
【００９２】
入出力インタフェース８５には、キーボード、マウスなどによりなる入力部８６、ＣＲＴ(Cathode Ray Tube)、ＬＣＤ(Liquid Crystal Display)などよりなるディスプレイ、並びにスピーカなどよりなる出力部８７、ハードディスクなどより構成される記憶部８８、モデム、ターミナルアダプタ、およびネットワークインタフェース（いずれも図示せず）などより構成される通信部８９が接続される。
【００９３】
記憶部８８には、周辺機器３を識別するためのＩＤ情報（識別情報）と、周辺機器３の接続管理情報とが予め対応付けられて登録されている接続管理情報データベース９５が格納されている。
【００９４】
通信部８９は、無線ＬＡＮのアクセスポイント４やネットワーク５を介しての通信処理を行う。
【００９５】
入出力インタフェース８５には、必要に応じてドライブ９０が接続され、磁気ディスク９１（フロッピディスクを含む）、光ディスク９２（ＣＤ−ＲＯＭ(Compact Disk-Read Only Memory）、ＤＶＤ(Digital Versatile Disk)を含む)、光磁気ディスク９３(ＭＤ(Mini-Disk)を含む)、あるいは半導体メモリ９４などが適宜装着され、それから読み出しコンピュータプログラムが、必要に応じて記憶部８８にインストールされる。
【００９６】
次に、図８のフローチャートを参照して、図４のカメラ付ディジタル携帯電話機２における周辺機器接続許可処理について説明する。この周辺機器接続許可処理は、ユーザが接続を所望する周辺機器３（例えば、電池パックやＡＣアダプタなど）をカメラ付ディジタル携帯電話機２に接続されることで開始される。
【００９７】
ステップＳ１において、周辺機器接続検出部５１は、カメラ付ディジタル携帯電話機２にいずれかの周辺機器３（例えば、電池パックやＡＣアダプタなど）が物理的に接続されたこと（あるいは、周辺機器３がカメラ付ディジタル携帯電話機３に近接され、物理的に接続されようとしていること）を検出し、周辺機器３の物理的な接続が検出された旨（あるいは、周辺機器３が物理的に接続されようとしている旨）をメインバス４１を介して主制御部３１に通知する。
【００９８】
主制御部３１は、周辺機器接続検出部３からの周辺機器３の物理的な接続が検出された旨（あるいは、周辺機器３が物理的に接続されようとしている旨）の通知に基づいて、カメラ付ディジタル携帯電話機２にいずれかの周辺機器３の物理的な接続が検出されたか否か（（あるいは、周辺機器３が物理的に接続されようとしているか否か）を判定し、いずれかの周辺機器３の物理的な接続が検出された（あるいは、周辺機器３が物理的に接続されようとしている）と判定するまで待機する。
【００９９】
ステップＳ１においていずれかの周辺機器３の物理的な接続が検出された（あるいは、周辺機器３が物理的に接続されようとしている）と判定された場合、主制御部３１はステップＳ２で、記憶部４７に記憶されているＲＦＩＤを読み取るためのアプリケーションプログラムを読み出し、読み出されたＲＦＩＤを読み取るためのアプリケーションプログラムを起動する。
【０１００】
ステップＳ３において、主制御部３１は、ＲＦＩＤリーダ４９を制御し、接続が検出された周辺機器３に貼付された（あるいは内蔵された）ＲＦＩＤ６１から、周辺機器３を識別するためのＩＤ情報（識別情報）を読み取らせる。
【０１０１】
すなわち、第１に、ＲＦＩＤリーダ４９のＣＰＵ５７は、主制御部３１の制御に従い、ＲＦＩＤ６１にＩＤ情報の送信を要求する旨の要求信号を生成し、生成された要求信号をＳＰＵ５５に供給し、ＳＰＵ５５、変調部５２、およびアンテナ５１を介して、ＩＤ情報の送信を要求する旨の要求信号をＲＦＩＤ６１に送信する。
【０１０２】
第２に、ＲＦＩＤリーダ４９に近接されたＲＦＩＤ６１のアンテナ７１は、ＲＦＩＤリーダ４９から無線通信を介して送信された要求信号（ＲＦＩＤ６１にＩＤ情報の送信を要求する旨の要求信号）を受信し、受信された要求信号を復調部７５に供給する。復調部７５は、アンテナ７１から供給された要求信号を取得し、取得された要求信号を、ＲＦＩＤリーダ４９の変調部５２の変調方式に対応する復調方式により復調し、復調された要求信号をＳＰＵ７６に供給する。
【０１０３】
ＳＰＵ７６は、復調部７５から供給された復調後の要求信号を取得し、取得された復調後の要求信号を所定の方式により復号し、復号された要求信号をＣＰＵ７８に供給する。ＣＰＵ７８は、ＳＰＵ７６から供給された復号後の要求信号に基づいて、ＲＯＭ７９に予め記憶されている周辺機器３に固有のＩＤ情報を読み出し、読み出されたＩＤ情報をバス７７を介してＳＰＵ７６に供給する。
【０１０４】
ＳＰＵ７６は、ＣＰＵ７８から供給されたＩＤ情報を、所定の符号化方式により符号化し、符号化されたＩＤ情報を変調部７３に供給する。変調部７３は、ＳＰＵ７６から供給された符号化後のＩＤ情報を取得し、取得された符号化後のＩＤ情報を、搬送波に基づいて所定の方式により変調することにより変調されたＩＤ情報を生成し、生成された変調後のＩＤ情報をアンテナ７１を介してＲＦＩＤリーダ４９に送信する。
【０１０５】
第３に、ＲＦＩＤリーダ４９のアンテナ５１は、ＲＦＩＤ６１から送信されたＩＤ情報を受信し、受信されたＩＤ情報を復調部５４に供給する。復調部５４は、アンテナ５１から供給されたＩＤ情報を取得し、取得されたＩＤ情報を、変調部７３の変調方式に対応する復調方式により復調し、復調されたＩＤ情報をＳＰＵ５５に供給する。
【０１０６】
ＳＰＵ５５は、復調部５４から供給された復調後のＩＤ情報を取得し、取得された復調後のＩＤ情報を、所定の符号化方式に対応する復号化処理を施し、復号化後のＩＤ情報をバス５６を介してＣＰＵ５７に供給する。
【０１０７】
ＣＰＵ５７は、ＳＰＵ５５から供給された復号化後のＩＤ情報を取得し、取得された復号化後のＩＤ情報を入出力インタフェース６０とメインバス４１を介して主制御部３１に供給する。
【０１０８】
ステップＳ４において、主制御部３１は、周辺機器３に貼付された（あるいは内蔵された）ＲＦＩＤ６１の読み取りに成功したか否かを判定する。ステップＳ４において周辺機器３に貼付された（あるいは内蔵された）ＲＦＩＤ６１の読み取りに成功していないと判定された場合（すなわち、何らかの理由で周辺機器３に貼付された（あるいは内蔵された）ＲＦＩＤ６１の読み取りに失敗し、周辺機器３を識別するための固有のＩＤ情報を取得することができなかった場合、あるいは、周辺機器３が非純正品であるため、そもそも周辺機器３にＲＦＩＤ６１が貼付されて（あるいは内蔵されて）いない場合など）、主制御部３１は、ＬＣＤ制御部３６を制御し、周辺機器３に貼付された（あるいは内蔵された）ＲＦＩＤ６１の読み取りに失敗した旨を液晶ディスプレイ１７に表示させる。液晶ディスプレイ１７は、ＬＣＤ制御部３６の制御に従い、周辺機器３に貼付された（あるいは内蔵された）ＲＦＩＤ６１の読み取りに失敗した旨を表示する。
【０１０９】
例えば図９［Ａ］に示されるように、液晶ディスプレイ１７には「読み取りに失敗しました」というメッセージが表示される。これにより、ユーザは、カメラ付ディジタル携帯電話機２への接続が検出された周辺機器３に貼付された（あるいは内蔵された）ＲＦＩＤの読み取りに失敗したことを知ることができる。
【０１１０】
その後、カメラ付ディジタル携帯電話機２における周辺機器接続許可処理は終了する。
【０１１１】
ステップＳ４において周辺機器３に貼付された（あるいは内蔵された）ＲＦＩＤ６１の読み取りに成功したと判定された場合、主制御部３１は、ＬＣＤ制御部３６を制御し、周辺機器３に貼付された（あるいは内蔵された）ＲＦＩＤ６１の読み取りに成功した旨とともに、読み取られたＩＤ情報を液晶ディスプレイ１７に表示させる。液晶ディスプレイ１７は、ＬＣＤ制御部３６の制御に従い、周辺機器３に貼付された（あるいは内蔵された）ＲＦＩＤ６１の読み取りに成功した旨とともに、読み取られたＩＤ情報を表示する。
【０１１２】
例えば図９［Ｂ］に示されるように、液晶ディスプレイ１７には「読み取りに成功しました。ＩＤ情報：１０××××」というメッセージが表示される。これにより、ユーザは、カメラ付ディジタル携帯電話機２への接続が検出された周辺機器３に貼付された（あるいは内蔵された）ＲＦＩＤの読み取りに成功し、読み取られたＩＤ情報が「１０××××」であることを知ることができる。
【０１１３】
その後、処理はステップＳ７に進む。
【０１１４】
ステップＳ７において、主制御部３１は、読み取られたＩＤ情報が記憶部４７にすでに接続管理情報と対応付けられて記憶されているＩＤ情報と一致するか否かを照合する。
【０１１５】
ステップＳ７において、読み取られたＩＤ情報が記憶部４７にすでに接続管理情報と対応付けられて記憶されているＩＤ情報と一致しないと照合された場合、主制御部３１はステップＳ８で、タグ管理サーバ６に接続するための接続要求を生成し、生成された接続要求を無線ＬＡＮモジュール５０に供給する。無線ＬＡＮモジュール５０は、主制御部３１の制御に従い、アクセスポイント４およびネットワーク５を介してタグ管理サーバ６に接続要求を送信する。
【０１１６】
ステップＳ９において、主制御部３１は、無線ＬＡＮモジュール５０において受信された接続応答に基づいて、タグ管理サーバ６との接続に成功したか否かを判定し、タグ管理サーバ６との接続に成功したと判定するまで待機する。
【０１１７】
ステップＳ９においてタグ管理サーバ６との接続に成功したと判定された場合、主制御部３１はステップＳ１０で、読み取られた周辺機器３を識別するためのＩＤ情報（識別情報）を無線ＬＡＮモジュール５０に供給する。無線ＬＡＮモジュール５０は、主制御部３１の制御に従い、アクセスポイント４およびネットワーク５を介してタグ管理サーバ６に周辺機器３を識別するためのＩＤ情報（識別情報）を送信する。
【０１１８】
ステップＳ１１において、無線ＬＡＮモジュール５０は、アクセスポイント４およびネットワーク５を介してタグ管理サーバ６から周辺機器３の接続に関する情報である接続管理情報を受信し、受信された接続管理情報を主制御部３１に供給する。
【０１１９】
ステップＳ１２において、主制御部３１は、無線ＬＡＮモジュール５０から供給された周辺機器３の接続に関する情報である接続管理情報を取得する。
【０１２０】
図１０は、タグ管理サーバ６からネットワーク５を介して取得された接続管理情報の構成を表している。
【０１２１】
図１０に示されるように、接続管理情報は、接続が許可される機種に関する情報である接続許可機種情報（例えば、メーカＡ社の機種のうちの１つであるＡ１や、メーカＣ社の機種のうちの１つであるＣ１に関する情報など）と、その周辺機器３を例えばカメラ付ディジタル携帯電話機２に接続する際の接続制御条件に関する情報（例えば周辺機器３がＡＣアダプタの場合、充電時間と充電電流に関する制御情報など）などからなる。
【０１２２】
ステップＳ１３において、主制御部３１は、取得された接続管理情報に含まれる接続許可機種情報に基づいて、物理的な接続が検出された（あるいは、物理的に接続されようとしている）周辺機器３のカメラ付ディジタル携帯電話機２への接続が許可されるか否かを判定する。換言すれば、取得された接続管理情報に含まれる接続許可機種情報に、周辺機器３が物理的に接続された（あるいは、物理的に接続されようとしている）カメラ付ディジタル携帯電話機２の機種が含まれているか否かを判定する。
【０１２３】
ステップＳ１３において接続が検出された周辺機器３のカメラ付ディジタル携帯電話機２への接続が許可されると判定された場合（すなわち、取得された接続管理情報に含まれる接続許可機種情報に、周辺機器３が物理的に接続された（あるいは、物理的に接続されようとしている）カメラ付ディジタル携帯電話機２の機種が含まれていると判定された場合）、主制御部３１はステップＳ１４で、読み取られたＩＤ情報と取得された接続管理情報とを対応付けて記憶部４７に記憶させる。記憶部４７は、主制御部３１の制御に従い、読み取られたＩＤ情報と取得された接続管理情報とを対応付けて記憶する。
【０１２４】
ステップＳ１５において、主制御部３１は、物理的な接続が検出された（あるいは、物理的に接続されようとしている）周辺機器３のカメラ付ディジタル携帯電話機２への接続を許可する。具体的には、例えば周辺機器３が電池パックである場合、カメラ付ディジタル携帯電話機２の各部への電力の供給を許可する。また、例えば周辺機器３がＡＣアダプタである場合、一般に家庭などに供給される交流電源を、カメラ付ディジタル携帯電話機２の各部に供給するための直流電源に変換する変換処理の実行を許可する。
【０１２５】
ステップＳ１６において、主制御部３１は、ＬＣＤ制御部３６を制御し、周辺機器３のカメラ付ディジタル携帯電話機２への接続を許可する旨を液晶ディスプレイ１７に表示させる。液晶ディスプレイ１７は、ＬＣＤ制御部３６の制御に従い、周辺機器３のカメラ付ディジタル携帯電話機２への接続を許可する旨を表示する。
【０１２６】
例えば図９［Ｃ］に示されるように、液晶ディスプレイ１７には「周辺機器の接続を許可しました。」というメッセージが表示される。これにより、ユーザは、接続を所望する周辺機器３のカメラ付ディジタル携帯電話機２への接続が許可されたことを知ることができる。
【０１２７】
一方、ステップＳ１３において接続が検出された周辺機器３のカメラ付ディジタル携帯電話機２への接続が許可されないと判定された場合（すなわち、取得された接続管理情報に含まれる接続許可機種情報の中に、周辺機器３が物理的に接続された（あるいは、物理的に接続されようとしている）カメラ付ディジタル携帯電話機２の機種が含まれていないと判定された場合）、主制御部３１はステップＳ１７で、物理的な接続が検出された（あるいは、物理的に接続されようとしている）周辺機器３のカメラ付ディジタル携帯電話機２への接続を許可しないとともに、ＬＣＤ制御部３６を制御し、周辺機器３がカメラ付ディジタル携帯電話機２へ接続ができない旨を液晶ディスプレイ１７に表示させる。液晶ディスプレイ１７は、ＬＣＤ制御部３６の制御に従い、周辺機器３がカメラ付ディジタル携帯電話機２への接続ができない旨を表示する。
【０１２８】
例えば図９［Ｄ］に示されるように、液晶ディスプレイ１７には「周辺機器の接続はできません。」というメッセージが表示される。これにより、ユーザは、接続を所望する周辺機器３のカメラ付ディジタル携帯電話機２への接続はできないことを知ることができる。
【０１２９】
ステップＳ９においてタグ管理サーバ６との接続に成功していないと判定された場合、主制御部３１はステップＳ１８で、ＬＣＤ制御部３６を制御し、タグ管理サーバ６との接続に失敗した旨を液晶ディスプレイ１７に表示させる。液晶ディスプレイ１７は、ＬＣＤ制御部３６の制御に従い、タグ管理サーバ６との接続に失敗した旨を表示する。
【０１３０】
例えば図９［Ｅ］に示されるように、液晶ディスプレイ１７には「タグ管理サーバとの接続に失敗しました。接続を再試行しますか？」というメッセージが表示されるとともに、「Ｙｅｓ」と「Ｎｏ」というコマンドアイコンが表示される。これにより、ユーザは、カメラ付ディジタル携帯電話機２からのタグ管理サーバ６への接続に失敗したことを知ることができるとともに、これ以降の処理により、タグ管理サーバ６との接続を再試行させたり、または、再試行させないようにしたりすることができることを知ることができる。
【０１３１】
すなわち、ユーザは、操作キー１４を操作することにより、「Ｙｅｓ」のコマンドアイコンを選択し、タグ管理サーバ６への接続の再試行を指令することができる。また、ユーザは、操作キー１４を操作することにより、「Ｎｏ」のコマンドアイコンを選択し、タグ管理サーバ６への接続の再試行をキャンセルすることができる。
【０１３２】
ステップＳ１９において、主制御部３１は、図９［Ｅ］の表示画面に基づいて、ユーザが操作キー１４を操作して「Ｙｅｓ」のアイコンを選択することにより、タグ管理サーバ６への接続の再試行が指示されたか否かを判定する。
【０１３３】
ユーザが操作キー１４を操作することにより「Ｙｅｓ」のアイコンを選択した場合、ステップＳ１９で主制御部３１は、ユーザが操作キー１４を操作して「Ｙｅｓ」のアイコンを選択することによりタグ管理サーバ６への接続の再試行が指示されたと判定する。
【０１３４】
一方、ユーザが操作キー１４を操作することにより「Ｎｏ」のアイコンを選択した場合、ステップＳ１９で主制御部３１は、ユーザが操作キー１４を操作して「Ｙｅｓ」のアイコンを選択することによってはタグ管理サーバ６への接続の再試行が指示されていないと判定する。
【０１３５】
ステップＳ１９においてユーザが操作キー１４を操作して「Ｙｅｓ」のアイコンを選択することによりタグ管理サーバ６への接続の再試行が指示されたと判定された場合、主制御部３１はステップＳ２０で、予め設定された所定の回数（例えば、３回など）以上接続が試行されたか否かを判定する。勿論、予め設定された所定の回数を、ユーザの好みに応じて変更することができるようにしてもよい。
【０１３６】
ステップＳ２０において予め設定された所定の回数（例えば、３回など）以上接続が試行されていないと判定された場合、処理はステップＳ８に戻り、その後、ステップＳ８以降の処理が繰り返され、タグ管理サーバ６への接続処理が実行される。これにより、少なくとも予め設定された所定の回数（例えば、３回など）、タグ管理サーバ６への接続の試行を繰り返すことができる。
【０１３７】
ステップＳ２０において予め設定された所定の回数（例えば、３回など）以上接続が試行されたと判定された場合、主制御部３１はステップＳ２１で、ＬＣＤ制御部３６を制御し、タグ管理サーバ６への接続の試行を終了する旨を液晶ディスプレイ１７に表示させる。液晶ディスプレイ１７は、ＬＣＤ制御部３６の制御に従い、タグ管理サーバ６への接続の試行を終了する旨を表示する。
【０１３８】
例えば図９［Ｆ］に示されるように、液晶ディスプレイ１７には「タグ管理サーバへの接続の試行を終了します。」というメッセージが表示される。これにより、ユーザは、タグ管理サーバ６への接続の試行が終了されることを知ることができる。
【０１３９】
その後、周辺機器接続許可処理は終了する。
【０１４０】
一方、ステップＳ１９においてユーザが操作キー１４を操作して「Ｙｅｓ」のアイコンを選択することによりタグ管理サーバ６への接続の再試行が指示されていないと判定された場合（すなわち、タグ管理サーバ６への接続の再試行のキャンセルが指示されたと判定された場合）、処理はステップＳ２１に進み、ステップＳ２１においてタグ管理サーバ６への接続の試行を終了する旨が液晶ディスプレイ１７に表示され、その後、周辺機器接続許可処理は終了する。
【０１４１】
ステップＳ７において読み取られたＩＤ情報が記憶部４７にすでに接続管理情報と対応付けられて記憶されているＩＤ情報と一致すると照合された場合、ステップＳ８乃至Ｓ１４の処理はスキップされ、処理はステップＳ１５に進み、ステップＳ１５においてカメラ付ディジタル携帯電話機２への接続許可処理が実行される。
【０１４２】
これにより、周辺機器接続許可処理がすでに実行され、読み取られたＩＤ情報と接続管理情報とが対応付けられて記憶されるとともに、カメラ付ディジタル携帯電話機２への接続が１回許可された周辺機器については、再度、無線ＬＡＮの回線を介してタグ管理サーバ６に無駄に接続することなく、カメラ付ディジタル携帯電話機２への接続を短時間に、かつ、安価に許可することができる。
【０１４３】
本発明の実施形態においては、カメラ付ディジタル携帯電話機２に物理的に接続された（あるいは、物理的に接続されようとしている）周辺機器３に貼付（あるいは内蔵）された図示せぬＲＦＩＤ６１から、カメラ付ディジタル携帯電話機２に内蔵されたＲＦＩＤリーダ４９により周辺機器３に固有のＩＤ情報を読み取り、読み取られたＩＤ情報に基づいてタグ管理サーバ６から接続管理情報を取得し、取得された接続管理情報に基づいてこの周辺機器がカメラ付ディジタル携帯電話機２への接続が許可されるか否かを判定し、カメラ付ディジタル携帯電話機２への接続が許可されると判定された場合にのみ、周辺機器３のカメラ付ディジタル携帯電話機２への接続を許可するようにしたので、周辺機器のうち、純正品のみの接続を許可することができる。これにより、周辺機器３を使用するユーザ自身が純正品であるか非純正品であるかを判断しなければならない場合に、ユーザは、物理的に接続された（あるいは、物理的に接続しようとしている）周辺機器３が純正品か非純正品かを正確に、かつ、簡単に判断することができると同時に、判断を誤った場合における発火などの危険性を除去することができる。従って、カメラ付ディジタル携帯電話機２の利便性を向上させることができる。
【０１４４】
なお、図８のカメラ付ディジタル携帯電話機２の周辺機器接続許可処理においては、カメラ付ディジタル携帯電話機２への接続が許可された周辺機器３のみのＩＤ情報と接続管理情報を対応付けて記憶するようにしたが、このような場合に限られず、例えば、カメラ付ディジタル携帯電話機２への接続が許可されるか否かにかかわらず、取得された周辺機器３に関するＩＤ情報と接続管理情報を対応付けて記憶させ、再度、物理的に接続された（あるいは、物理的に接続されようとしている）周辺機器３について、すでに記憶されている接続管理情報に基づいてカメラ付ディジタル携帯電話機２への接続が許可されるか否かを判定し、カメラ付ディジタル携帯電話機２への接続が許可されると判定された場合にのみ、接続許可処理を実行するようにしてもよい。以下、この方法を用いた周辺機器接続許可処理について説明する。
【０１４５】
図１１のフローチャートを参照して、図４のカメラ付ディジタル携帯電話機２における他の周辺機器接続許可処理について説明する。なお、図１１のステップＳ２１乃至Ｓ４１の処理は、図４のステップＳ１乃至Ｓ２１の処理と基本的には同様であり、その説明は繰り返しになるので、適宜省略する。
【０１４６】
ステップＳ３３において、主制御部３１は、取得されたＩＤ情報と接続管理情報を対応付けて記憶部４７に記憶させる。記憶部４７は、主制御部３１の制御に従い、取得されたＩＤ情報と接続管理情報を対応付けて記憶する。その後、処理はステップＳ３４に進み、ステップＳ３４以降の処理が実行される。
【０１４７】
これにより、カメラ付ディジタル携帯電話機２への接続が許可されるか否かにかかわらず、取得されたすべての周辺機器３に関するＩＤ情報と接続管理情報を対応付けて記憶させ、再度、物理的に接続された（あるいは、物理的に接続されようとしている）周辺機器３について、すでに記憶されている接続管理情報に基づいてカメラ付ディジタル携帯電話機２への接続が許可されるか否かを判定し、カメラ付ディジタル携帯電話機２への接続が許可されると判定された場合、接続許可処理を実行し、カメラ付ディジタル携帯電話機２への接続が許可されないと判定された場合、接続を許可せず、カメラ付ディジタル携帯電話機２に接続できない旨を表示することができる。
【０１４８】
従って、カメラ付ディジタル携帯電話機２への接続が１回許可された周辺機器については、再度、無線ＬＡＮの回線を介してタグ管理サーバ６に無駄に接続することなく、カメラ付ディジタル携帯電話機２への接続を短時間に、かつ、安価に許可することができるだけでなく、カメラ付ディジタル携帯電話機２への接続が許可されなかった周辺機器についても、再度、無線ＬＡＮの回線を介してタグ管理サーバ６に無駄に接続することなく、カメラ付ディジタル携帯電話機２への接続を許可しないように短時間に、かつ、簡単にすることができる。
【０１４９】
次に、図１２のフローチャートを参照して、図８（または図１１）のカメラ付ディジタル携帯電話機２における周辺機器接続許可処理に対応する、図７のタグ管理サーバ６の接続管理情報送信処理について説明する。
【０１５０】
ステップＳ５１において、通信部８９は、アクセスポイント４およびネットワーク５を介してカメラ付ディジタル携帯電話機２から接続要求を受信し、受信された接続要求をバス８４を介してＣＰＵ８１に供給する。
【０１５１】
ステップＳ５２において、ＣＰＵ８１は、接続が要求されたカメラ付ディジタル携帯電話機２の認証処理などを行い、その結果を示す接続応答を生成し、生成された接続応答を通信部８９に供給する。通信部８９は、ＣＰＵ８１から供給された接続応答を、アクセスポイント４およびネットワーク５を介してカメラ付ディジタル携帯電話機２に送信する。
【０１５２】
ステップＳ５３において、ＣＰＵ８１は、通信部８９を介して、カメラ付ディジタル携帯電話機２との接続に成功したか否かを判定し、カメラ付ディジタル携帯電話機２との接続に成功したと判定するまで待機する。
【０１５３】
ステップＳ５３においてカメラ付ディジタル携帯電話機２との接続に成功したと判定された場合、通信部８９はステップＳ５４で、アクセスポイント４およびネットワーク５を介してカメラ付ディジタル携帯電話機２から周辺機器３のＩＤ情報を受信し、受信された周辺機器３のＩＤ情報をＣＰＵ８１に供給する。
【０１５４】
ステップＳ５５において、ＣＰＵ８１は、通信部８９から供給された周辺機器３のＩＤ情報を取得する。ステップＳ５６において、ＣＰＵ８１は、記憶部８８に予め記憶されている、ＩＤ情報と接続管理情報が予め対応付けられて登録されている接続管理情報データベース９５を読み出す。
【０１５５】
図１３は、図７の記憶部８８に記憶されている接続管理情報データベース９５の構成を表している。
【０１５６】
図１３の接続管理情報データベース９５の第１列目乃至第２列目には、「ＩＤ情報（ＩＤ番号）」および「接続管理情報」が記載されており、それぞれ、周辺機器３に固有のＩＤ情報（ＩＤ番号）、および、周辺機器３のカメラ付ディジタル携帯電話機２への接続に関する情報を示している。第２列目の「接続管理情報」には、さらに「接続許可機種情報」および「接続制御条件情報」が記載されており、それぞれ、周辺機器３が接続を許可されるカメラ付ディジタル携帯電話機２の機種に関する情報、および、周辺機器３のカメラ付ディジタル携帯電話機２に接続する際の制御条件に関する情報を示している。
【０１５７】
図１３の接続管理情報データベース９５の第１行目の場合、「ＩＤ情報」は「１００００１」であり、周辺機器３に固有のＩＤ情報（ＩＤ番号）が「１００００１」であることを示している。「接続許可機種情報」は「Ａ１／Ａ３／Ｃ１／Ｃ２／Ｆ３」であり、周辺機器３が接続を許可されるカメラ付ディジタル携帯電話機２の機種に関する情報が「Ａ１／Ａ３／Ｃ１／Ｃ２／Ｆ３」であること（すなわち、周辺機器３が接続を許可されるカメラ付ディジタル携帯電話機２の機種が、メーカＡ社の機種のうちのＡ１とＡ３、メーカＣ社の機種のうちのＣ１、およびメーカＦ社の機種のうちのＦ３であること）を示している。「接続制御条件情報」は「／」であり、予め対応付けて登録されている接続制御条件情報がないことを示している。
【０１５８】
図１３の接続管理情報データベース９５の第２行目の場合、「ＩＤ情報」は「１００００２」であり、周辺機器３に固有のＩＤ情報（ＩＤ番号）が「１００００２」であることを示している。「接続許可機種情報」は「Ｅ１／Ｅ２／Ｅ３」であり、周辺機器３が接続を許可されるカメラ付ディジタル携帯電話機２の機種に関する情報が「Ｅ１／Ｅ２／Ｅ３」であること（すなわち、周辺機器３が接続を許可されるカメラ付ディジタル携帯電話機２の機種が、メーカＥ社の機種のうちのＥ１、Ｅ２、およびＥ３であること）を示している。「接続制御条件情報」は「充電時間：１時間  充電電流：４０ｍＡ〜５０ｍＡ」であり、周辺機器３のカメラ付ディジタル携帯電話機２に接続する際の制御条件に関する情報が「充電時間：１時間  充電電流：４０ｍＡ〜５０ｍＡ」であることを示している。
【０１５９】
ステップＳ５７において、ＣＰＵ８１は、読み出された接続管理情報データベース９５を参照して、取得されたＩＤ情報を用いて、ＩＤ情報に予め対応付けられた接続管理情報を検索する。
【０１６０】
ステップＳ５８において、ＣＰＵ８１は、検索された接続管理情報を通信部８９に供給する。通信部８９は、ＣＰＵ８１から供給された接続管理情報を、アクセスポイント４およびネットワーク５を介してカメラ付ディジタル携帯電話機２に送信する。
【０１６１】
ところで、ユーザがカメラ付ディジタル携帯電話機２への接続を所望する周辺機器３が電池パックである場合、カメラ付ディジタル携帯電話機２に現在接続されている電池パックを外した後、新たな電池パック（所望の周辺機器３）を接続しなければならず、新たな電池パックを接続する際に周辺機器接続許可処理を行うことは困難である。そこで、カメラ付ディジタル携帯電話機２に現在接続されている電池パックからの電力を用いて、所望の周辺機器３である新たな電池パックがカメラ付ディジタル携帯電話機３に近接され物理的に接続されようとしていることを検出し、所望の周辺機器３である新たな電池パックのカメラ付ディジタル携帯電話機２への接続を許可した後、予め設定された所定の時間内にユーザが新たな電池パックをカメラ付ディジタル携帯電話機２に接続して装着するようにしてもよい。以下、この方法を用いたカメラ付ディジタル携帯電話機２における周辺機器接続許可処理について説明する。
【０１６２】
図１４のフローチャートを参照して、図４のカメラ付ディジタル携帯電話機２における他の周辺機器接続許可処理について説明する。なお、図１４のステップＳ６１乃至Ｓ７６、およびステップＳ８０乃至Ｓ８４の処理は、図８のステップＳ１乃至Ｓ２１の処理と同様であり、その説明は繰り返しになるので省略する。
【０１６３】
ステップＳ７７において、主制御部３１は、物理的に接続しようとしていることが検出された周辺機器３（新たな電池パック）のカメラ付ディジタル携帯電話機２への接続が許可された後、予め設定された所定の時間（例えば、２分間など）が経過したか否かを判定し、予め設定された所定の時間（例えば、２分間など）が経過したと判定するまで待機する。
【０１６４】
ステップＳ７７において予め設定された所定の時間（例えば、２分間など）が経過したと判定された場合、主制御部３１はステップＳ７８で、物理的に接続しようとしていることが検出された周辺機器３（新たな電池パック）のカメラ付ディジタル携帯電話機２への接続を不許可にする。これにより、ユーザが、所望の周辺機器３である新たな電池パックをカメラ付ディジタル携帯電話機２に物理的に接続しても、接続は許可されず、新たな電池パックからカメラ付ディジタル携帯電話機２の各部へ電力は供給されない。
【０１６５】
ステップＳ７９において、主制御部３１は、ＬＣＤ制御部３６を制御し、物理的に接続しようとしていることが検出された周辺機器３（新たな電池パック）のカメラ付ディジタル携帯電話機２への接続を不許可する旨を液晶ディスプレイ１７に表示させる。液晶ディスプレイ１７は、ＬＣＤ制御部３６の制御に従い、物理的に接続しようとしていることが検出された周辺機器３（新たな電池パック）のカメラ付ディジタル携帯電話機２への接続を不許可する旨を表示する。
【０１６６】
例えば図９［Ｇ］に示されるように、液晶ディスプレイ１７には「周辺機器の接続を不許可にします。」というメッセージが表示される。これにより、ユーザは、予め設定された所定の時間（例えば、２分間など）が経過したことにより、接続を所望する周辺機器３のカメラ付ディジタル携帯電話機２への接続が不許可になったことを知ることができる。
【０１６７】
その後、周辺機器接続許可処理は終了する。
【０１６８】
これにより、カメラ付ディジタル携帯電話機２に現在接続されている電池パックからの電力を用いて、所望の周辺機器３である新たな電池パックがカメラ付ディジタル携帯電話機３に近接され物理的に接続されようとしていることを検出し、所望の周辺機器３である新たな電池パックのカメラ付ディジタル携帯電話機２への接続を許可した後、予め設定された所定の時間内にユーザが新たな電池パックをカメラ付ディジタル携帯電話機２に接続して装着することができる。
【０１６９】
本発明の実施形態においては、ユーザがカメラ付ディジタル携帯電話機２への接続を所望する周辺機器３が電池パックである場合、カメラ付ディジタル携帯電話機２に物理的に接続されようとしている周辺機器３（電池パック）に貼付（あるいは内蔵）された図示せぬＲＦＩＤ６１から、カメラ付ディジタル携帯電話機２に内蔵されたＲＦＩＤリーダ４９により周辺機器３に固有のＩＤ情報を読み取り、読み取られたＩＤ情報に基づいてタグ管理サーバ６から接続管理情報を取得し、取得された接続管理情報に基づいてこの周辺機器がカメラ付ディジタル携帯電話機２への接続が許可されるか否かを判定し、カメラ付ディジタル携帯電話機２への接続が許可されると判定された場合に、予め設定された所定の時間（例えば、２分間など）が経過するまで、周辺機器３のカメラ付ディジタル携帯電話機２への接続を許可するようにしたので、周辺機器のうち、純正品のみの接続を許可することができるとともに、非純正品の接続を許可しないようにすることができる。
【０１７０】
これにより、周辺機器３（電池パック）を使用するユーザ自身が純正品であるか非純正品であるかを判断しなければならない場合に、ユーザは、物理的に接続しようとしている周辺機器３（電池パック）が純正品か非純正品かを正確に、かつ、簡単に判断することができると同時に、判断を誤った場合における発火などの危険性を除去することができる。従って、カメラ付ディジタル携帯電話機２の利便性をより向上させることができる。
【０１７１】
なお、図１４のフローチャートを用いて説明した周辺機器接続許可処理においては、所望の周辺機器３である新たな電池パックのカメラ付ディジタル携帯電話機２への接続を許可した後、予め設定された所定の時間内にユーザが新たな電池パックをカメラ付ディジタル携帯電話機２に接続して装着するようにしたが、このような場合に限られず、例えば、所望の周辺機器３としての新たな電池パックがユーザによりカメラ付ディジタル携帯電話機２に一旦物理的に接続された後、予め設定された所定の時間内に限り、電池パック（周辺機器３）のカメラ付ディジタル携帯電話機２への接続を許可し、カメラ付ディジタル携帯電話機２の各部へ電力を供給するようにし、所望の周辺機器３である新たな電池パックのカメラ付ディジタル携帯電話機２への接続が許可されるか否かを判定するようにしてもよい。以下、この方法を用いたカメラ付ディジタル携帯電話機２における周辺機器接続許可処理について説明する。
【０１７２】
図１５のフローチャートを参照して、図４のカメラ付ディジタル携帯電話機２における他の周辺機器接続許可処理について説明する。図１５のステップＳ９１、ステップＳ９４乃至Ｓ９９、およびステップＳ１０１乃至Ｓ１１４の処理は、図８のステップＳ１乃至２１の処理と基本的には同様であり、その説明は繰り返しになるので省略する。
【０１７３】
ステップＳ９１において周辺機器３である電池パックが物理的に接続されたと判定された場合、主制御部３１はステップＳ９２で、物理的な接続が検出された周辺機器３のカメラ付ディジタル携帯電話機２への一時接続（予め設定された所定の時間内の一時的な接続）を許可する。具体的には、所望の周辺機器３である電池パックからカメラ付ディジタル携帯電話機２の各部への電力の供給を許可する。
【０１７４】
ステップＳ９３において、主制御部３１は、内蔵されたタイマ時接続の時間を計時するタイマである一時接続許可タイマとして用いて、一時接続許可タイマのカウントを開始する。
【０１７５】
ステップＳ９９において読み取られたＩＤ情報が記憶部４７にすでに接続管理情報と対応付けられて記憶されているＩＤ情報と一致しないと照合された場合と判定された場合、主制御部３１はステップＳ１００で、一時接続許可タイマにより、予め設定された所定の時間（例えば、５分間など）が経過したか否かを判定する。
【０１７６】
ステップＳ１００において一時接続許可タイマにより、予め設定された所定の時間（例えば、５分間など）が経過していないと判定された場合、処理はステップＳ１０１に進み、ステップＳ１０１以降の処理が繰り返される。これにより、タグ管理サーバ６への接続処理が行われるとともに、所望の周辺機器３である電池パックのカメラ付ディジタル携帯電話機２への接続許可処理を実行することができる。
【０１７７】
ステップＳ１００において一時接続許可タイマにより、予め設定された所定の時間（例えば、５分間など）が経過したと判定された場合、主制御部３１はステップＳ１１５で、ＬＣＤ制御部３６を制御し、所望の周辺機器３である電池パックのカメラ付ディジタル携帯電話機２への一時接続がタイムアップした旨を液晶ディスプレイ１７に表示させる。液晶ディスプレイ１７は、所望の周辺機器３である電池パックのカメラ付ディジタル携帯電話機２への一時接続がタイムアップした旨を表示する。
【０１７８】
例えば図９［Ｈ］に示されるように、液晶ディスプレイ１７には「周辺機器の一時接続がタイムアップしました。一時接続を終了します。」というメッセージが表示される。これにより、ユーザは、所望の周辺機器３のカメラ付ディジタル携帯電話機２への一時接続がタイムアップしたことにより、所望の周辺機器３のカメラ付ディジタル携帯電話機２への一時接続が終了したことを知ることができる。
【０１７９】
その後、周辺機器接続許可処理は終了する。
【０１８０】
本発明の実施形態においては、カメラ付ディジタル携帯電話機２に周辺機器３である電池パックが物理的に接続されると、カメラ付ディジタル携帯電話機２への一時接続が予め設定された所定の時間だけ許可され、その後、予め設定された所定の時間内において、カメラ付ディジタル携帯電話機２に物理的に接続された周辺機器３に貼付（あるいは内蔵）された図示せぬＲＦＩＤ６１から、カメラ付ディジタル携帯電話機２に内蔵されたＲＦＩＤリーダ４９により周辺機器３に固有のＩＤ情報を読み取り、読み取られたＩＤ情報に基づいてタグ管理サーバ６から接続管理情報を取得し、取得された接続管理情報に基づいてこの周辺機器がカメラ付ディジタル携帯電話機２への接続が許可されるか否かを判定し、カメラ付ディジタル携帯電話機２への接続が許可されると判定された場合にのみ、周辺機器３のカメラ付ディジタル携帯電話機２への接続を許可するようにしたので、周辺機器のうち、純正品のみの接続を許可することができる。これにより、現在使用している周辺機器３である電池パックが全く空の状態になった場合にでも、接続許可処理を実行することができ、周辺機器３である電池パックを使用するユーザ自身が純正品であるか非純正品であるかを判断しなければならない場合に、ユーザは、物理的に接続された周辺機器３が純正品か非純正品かを正確に、かつ、簡単に判断することができると同時に、判断を誤った場合における発火などの危険性を除去することができる。従って、カメラ付ディジタル携帯電話機２の利便性をより向上させることができる。
【０１８１】
なお、図１５のフローチャートを用いて説明した周辺機器接続許可処理においては、便宜上、ステップＳ１００において一時接続許可後予め設定された所定の時間が経過したか否かを判定するようにしたが、このような場合に限られず、図１５のフローチャートを用いて説明した周辺機器接続許可処理のどの部分でこの判定処理を行うようにしてもよいし、あるいは、周辺機器接続許可処理と並列的に判定処理を実行するようにしてもよい。
【０１８２】
ところで、図１５のフローチャートを用いて説明した周辺機器接続許可処理においては、ステップＳ９６のＩＤ情報読取処理でＩＤ情報の読み取りに失敗した場合、またはステップＳ１０６において接続が許可されない周辺機器３であると判定された場合、読み取りに失敗した旨または接続が許可されない旨を表示した上で周辺機器接続許可を終了するようにしたが、緊急通信（例えば、１１０番や１１９番など）を行うために周辺機器接続処理をユーザがカメラ付ディジタル携帯電話機２に実行させるような場合も想定される。そこで、このような場合、待ち受け画面動作（表示など）を許可するとともに、通信処理のうち緊急通信処理のみを許可するようにしてもよい。以下、この方法を用いたカメラ付ディジタル携帯電話機の周辺機器接続許可処理について説明する。
【０１８３】
図１６のフローチャートを参照して、図４のカメラ付ディジタル携帯電話機２における周辺機器接続許可処理について説明する。なお、図１６のステップＳ１２１乃至Ｓ１２７、ステップＳ１３３乃至１５０の処理は、図１５のステップＳ９１乃至１１５の処理と同様であり、その説明は繰り返しになるので省略する。
【０１８４】
ステップＳ１２７における読み取りに失敗した旨の表示処理、または、ステップＳ１４５における接続を許可できない旨の表示処理の後、ステップＳ１２８において、主制御部３１は、待ち受け画面の動作（例えば、表示など）を許可する。
【０１８５】
ステップＳ１２９において、主制御部３１は、ユーザにより操作キー１４が操作されることにより緊急通信の開始が指示されたか否かを判定する。ステップＳ１２９においてユーザにより操作キー１４が操作されることにより緊急通信の開始が指示されたと判定された場合、主制御部３１はステップＳ１３０で、通信のうちの、緊急通信のみを一時的に許可する。
【０１８６】
ステップＳ１３１において、主制御部３１は、緊急通信処理を実行する。具体的には、主制御部３１は、変復調回路部３９および送受信回路部４３を制御し、アンテナ４４を介して所定の電話番号（例えば、１１０番や１１９番など）の相手先に接続し、発呼処理を実行する。これにより、ユーザは、所定の電話番号（例えば、１１０番や１１９番など）の相手先に緊急通信を行うことができる。
【０１８７】
ステップＳ１３２において、周辺機器接続検出部５１は、カメラ付ディジタル携帯電話機２に物理的に接続された周辺機器３である電池パックが取り外されたことを検出し、カメラ付ディジタル携帯電話機２に物理的に接続された周辺機器３である電池パックが取り外された旨をメインバス４１を介して主制御部３１に通知する。
【０１８８】
主制御部３１は、カメラ付ディジタル携帯電話機２に物理的に接続された周辺機器３である電池パックが取り外された旨の通知に基づいて、カメラ付ディジタル携帯電話機２に物理的に接続された周辺機器３である電池パックが取り外されたか否かを判定する。
【０１８９】
ステップＳ１３２においてカメラ付ディジタル携帯電話機２に物理的に接続された周辺機器３である電池パックが取り外されていないと判定された場合、処理はステップＳ１２９に進み、ステップＳ１２９以降の処理が繰り返される。
【０１９０】
一方、ステップＳ１３２においてカメラ付ディジタル携帯電話機２に物理的に接続された周辺機器３である電池パックが取り外された場合、周辺機器接続許可処理は終了する。
【０１９１】
本発明の実施形態においては、カメラ付ディジタル携帯電話機２に周辺機器３である電池パックが物理的に接続されると、カメラ付ディジタル携帯電話機２への一時接続が予め設定された所定の時間だけ許可され、その後、予め設定された所定の時間内において、カメラ付ディジタル携帯電話機２に物理的に接続された周辺機器３に貼付（あるいは内蔵）された図示せぬＲＦＩＤ６１から、カメラ付ディジタル携帯電話機２に内蔵されたＲＦＩＤリーダ４９により周辺機器３に固有のＩＤ情報を読み取り、読み取られたＩＤ情報に基づいてタグ管理サーバ６から接続管理情報を取得し、取得された接続管理情報に基づいてこの周辺機器がカメラ付ディジタル携帯電話機２への接続が許可されるか否かを判定し、カメラ付ディジタル携帯電話機２への接続が許可されると判定された場合にのみ、周辺機器３のカメラ付ディジタル携帯電話機２への接続を許可するようにしたので、周辺機器のうち、純正品のみの接続を許可することができるとともに、ＩＤ情報読取処理でＩＤ情報の読み取りに失敗した場合、または接続が許可されない周辺機器３であると判定された場合、待ち受け画面動作（表示など）を許可し、通信処理のうち緊急通信処理のみを許可するようにしたので、このような場合であっても緊急通信処理を実行することができる。
【０１９２】
これにより、現在使用している周辺機器３である電池パックが全く空の状態になった場合にでも、接続許可処理を実行することができ、周辺機器３である電池パックを使用するユーザ自身が純正品であるか非純正品であるかを判断しなければならない場合に、ユーザは、物理的に接続された周辺機器３が純正品か非純正品かを正確に、かつ、簡単に判断することができると同時に、判断を誤った場合における発火などの危険性を除去することができる。また、ＩＤ情報読取処理でＩＤ情報の読み取りに失敗した場合、または接続が許可されない周辺機器３であると判定された場合に、ユーザが緊急時における緊急通信（例えば、１１０番など）を所望するとき、発火などの危険性を最小限に抑止しつつ、緊急通信処理を実行させることができる。従って、カメラ付ディジタル携帯電話機２の利便性をより向上させることができる。
【０１９３】
ところで、ユーザがカメラ付ディジタル携帯電話機２への接続を所望する周辺機器３がＡＣアダプタである場合であって、カメラ付ディジタル携帯電話機２に現在接続されている電池パックが空であるとき、ＡＣアダプタを接続する際に周辺機器接続許可処理を行うことは困難である。そこで、所望の周辺機器３であるＡＣアダプタがカメラ付ディジタル携帯電話機３に物理的に接続されたことを検出し、物理的に接続されたＡＣアダプタから、少ない電流による充電である非急速充電のみを許可するようにし、予め設定された所定の時間空の電池パックを非急速充電し、その後、カメラ付ディジタル携帯電話機２に物理的に接続されたＡＣアダプタの接続許可処理を実行するようにしてもよい。以下、この方法を用いたカメラ付ディジタル携帯電話機２における周辺機器接続許可処理について説明する。
【０１９４】
図１７のフローチャートを参照して、図４のカメラ付ディジタル携帯電話機２における周辺機器接続許可処理について説明する。なお、図１７のステップＳ１５１、ステップＳ１５４乃至Ｓ１７３の処理は、図８のステップＳ１乃至Ｓ２１の処理と基本的には同様であり、その説明は繰り返しになるので省略する。
【０１９５】
ステップＳ１５２において、主制御部３１は、ＡＣアダプタによる充電方法のうち、少ない電流による充電である非急速充電のみを許可する。例えば充電に用いる電流が４００ｍＡ乃至５００ｍＡである場合、４０ｍＡ乃至５０ｍの電流を用いた充電のみを許可する。
【０１９６】
ステップＳ１５３において、主制御部３１は、内蔵されたタイマを用いて、予め設定された所定の時間（例えば、３０分など）非急速充電されたか否かを判定し、予め設定された所定の時間（例えば、３０分など）非急速充電されたと判定するまで待機する。
【０１９７】
その後、処理はステップＳ１５４以降の処理に進み、ステップＳ１５４以降の処理が繰り返される。
【０１９８】
本発明の実施形態においては、カメラ付ディジタル携帯電話機２に物理的に接続された周辺機器３がＡＣアダプタである場合に、カメラ付ディジタル携帯電話機２に現在接続されている電池パックが空であるとき、予め設定された所定の時間（例えば、３０分など）だけ、少ない電流による充電である非急速充電のみを許可し、その後、カメラ付ディジタル携帯電話機２に物理的に接続された周辺機器３（ＡＣアダプタ）に貼付（あるいは内蔵）された図示せぬＲＦＩＤ６１から、カメラ付ディジタル携帯電話機２に内蔵されたＲＦＩＤリーダ４９により周辺機器３に固有のＩＤ情報を読み取り、読み取られたＩＤ情報に基づいてタグ管理サーバ６から接続管理情報を取得し、取得された接続管理情報に基づいてこの周辺機器がカメラ付ディジタル携帯電話機２への接続が許可されるか否かを判定し、カメラ付ディジタル携帯電話機２への接続が許可されると判定された場合にのみ、周辺機器３のカメラ付ディジタル携帯電話機２への接続を許可するようにしたので、接続が許可されない非純正品のＡＣアダプタが物理的に接続されたときに、カメラ付ディジタル携帯電話機２に現在接続されている電池パックが空であっても、周辺機器のうち、純正品のみのＡＣアダプタの接続を許可することができる。これにより、周辺機器３を使用するユーザ自身が純正品であるか非純正品であるかを判断しなければならない場合に、ユーザは、物理的に接続された周辺機器３が純正品か非純正品かを正確に、かつ、簡単に判断することができると同時に、判断を誤った場合における発火などの危険性を除去することができる。従って、カメラ付ディジタル携帯電話機２のより利便性を向上させることができる。
【０１９９】
なお、本発明の実施形態においては、周辺機器３が物理的に接続されたこと（あるいは、物理的に接続されようとしていること）が検出されたとき、適宜、タグ管理サーバ６に接続し、ＩＤ情報に予め対応付けられた接続管理情報を取得し、記憶するようにしたが、このような場合に限られず、例えば、所定の期間ごとにタグ管理サーバ６に接続し、ＩＤ情報に予め対応付けられた接続管理情報を更新するようにしてもよい。これにより、取得当初接続が許可された周辺機器３に関して事後的に接続が不許可になった場合に、接続が不許可になった周辺機器３に対応するＩＤ情報や接続管理情報を消去または更新することができる。従って、周辺機器３を使用するユーザ自身が純正品であるか非純正品であるかを判断しなければならない場合に、ユーザは、物理的に接続された周辺機器３が純正品か非純正品かをより正確に、かつ、簡単に判断することができると同時に、判断を誤った場合における発火などの危険性を除去することができる。
【０２００】
また、本発明の実施形態においては、タグ管理サーバ６への接続に際し、最も安価と考えられる組み合わせである、無線ＬＡＮのアクセスポイント４とネットワーク５を介して接続するようにしているが、このような場合に限られず、変復調回路部３９、送受信回路部４３、およびアンテナ４４を用いて接続するようにしてもよいし、Ｂｌｕｅｔｏｏｔｈ（登録商標）や赤外線などを用いて接続するようにしてもよい。
【０２０１】
さらに、本発明の実施形態に用いられるＩＤ情報（ＩＤ番号など）については、会社ごとや周辺機器３ごとなどに区別しやすいように割り振るようにしてもよい。
【０２０２】
また、ユーザの好みに応じて、接続許可の確認が必要な周辺機器３と必要ではない周辺機器３と区別し、接続許可の確認が不要な周辺機器を予め設定し、接続許可の確認が不要な周辺機器３について、接続許可処理を実行しないようにしてもよい。例えば特定のスロットに接続するメモリカード４６などを設定するようにしてもよい。勿論、逆に、接続許可の確認が必要な周辺機器３（例えば、ユーザの所有のノート型パーソナルコンピュータなど）を予め設定し、接続許可の確認が必要な周辺機器３についてのみ接続許可処理を実行するようにしてもよい。これにより、他のパーソナルコンピュータが接続できないように設定することが可能となる。
【０２０３】
なお、純正品ではない非純正品の周辺機器３などについて特別に接続許可が必要な場合に、何らかのサービスセンターなどを介して接続許可を得られるようにしてもよい。また、このような特別な接続許可処理を、ユーザが操作キー１４を操作することにより実行させるようにしてもよい。この場合に、特別な接続許可処理に際し、ユーザによる暗証番号の入力を用いるようにしてもよい。
【０２０４】
また、周辺機器３には、例えばオプション、アクセサリ、付属品などが含まれるだけでなく、カメラ付ディジタル携帯電話機２以外のＰＤＡ（Personal Digital Assistant）やパーソナルコンピュータなどの情報処理装置も含まれる。
【０２０５】
さらに、周辺機器接続許可処理により接続が許可されないと判定された周辺機器３に関する情報について、タグ管理サーバ６にアクセスポイント４およびネットワーク５を介して送信するようにしてもよい。
【０２０６】
なお、本発明は、カメラ付ディジタル携帯電話機２以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０２０７】
また、本発明の実施形態において説明した一連の処理は、ソフトウェアにより実行させることもできるが、ハードウェアにより実行させることもできる。
【０２０８】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０２０９】
【図１】本発明を適用したネットワークシステムの概略的な構成を示す図。
【図２】本発明に係る情報処理装置に適用可能なカメラ付ディジタル携帯電話機の外観の構成を示す外観図。
【図３】本発明に係る情報処理装置に適用可能なカメラ付ディジタル携帯電話機の外観の構成を示す他の外観図。
【図４】本発明に係る情報処理装置に適用可能なカメラ付ディジタル携帯電話機の内部の構成を示すブロック図。
【図５】図４のＲＦＩＤリーダの内部の構成を示すブロック図。
【図６】図１の周辺機器に貼付あるいは内蔵されるＲＦＩＤの内部の構成を示すブロック図。
【図７】図１のタグ管理サーバの内部の構成を示すブロック図。
【図８】図４のカメラ付ディジタル携帯電話機における周辺機器接続許可処理を説明するフローチャート。
【図９】図４の液晶ディスプレイに表示される表示画面の例を示す図。
【図１０】図８のステップＳ１２において取得される接続管理情報の構成を示す図。
【図１１】図４のカメラ付ディジタル携帯電話機における他の周辺機器接続許可処理を説明するフローチャート。
【図１２】図７のタグ管理サーバにおける接続管理情報送信処理を説明するフローチャート。
【図１３】図７の記憶部に記憶されている接続管理情報データベースの構成を示す図。
【図１４】図４のカメラ付ディジタル携帯電話機における他の周辺機器接続許可処理を説明するフローチャート。
【図１５】図４のカメラ付ディジタル携帯電話機における他の周辺機器接続許可処理を説明するフローチャート。
【図１６】図４のカメラ付ディジタル携帯電話機における他の周辺機器接続許可処理を説明するフローチャート。
【図１７】図４のカメラ付ディジタル携帯電話機における他の周辺機器接続許可処理を説明するフローチャート。
【符号の説明】
【０２１０】
１…ネットワークシステム、２…カメラ付ディジタル携帯電話機、３…周辺機器、４…アクセスポイント、５…ネットワーク、６…タグ管理サーバ、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、４９…ＲＦＩＤリーダ、５０…無線ＬＡＮモジュール、５１…周辺機器接続検出部、５１…アンテナ、５２…変調部、５３…発振回路、５４…復調部、５５…ＳＰＵ、５６…バス、５７…ＣＰＵ，５８…ＲＯＭ，５９…ＲＡＭ、６０…入出力インタフェース、６１…ＲＦＩＤ、７１…アンテナ、７２…電力発生部、７３…変調部、７４…発振回路、７５…復調部、７６…ＳＰＵ、７７…バス、７８…ＣＰＵ、７９…ＲＯＭ、８１…ＣＰＵ，８２…ＲＯＭ，８３…ＲＡＭ、８４…バス、８５…入出力インタフェース、８６…入力部、８７…出力部、８８…記憶部、８９…通信部、９０…ドライブ、９１…磁気ディスク、９２…光ディスク、９３…光磁気ディスク、９４…半導体メモリ、９５…接続管理情報データベース。
【図１】
2008065774.tif 000003
【図２】
2008065774.tif 000004
【図３】
2008065774.tif 000005
【図４】
2008065774.tif 000006
【図５】
2008065774.tif 000007
【図６】
2008065774.tif 000008
【図７】
2008065774.tif 000009
【図８】
2008065774.tif 000010
【図９】
2008065774.tif 000011
【図１０】
2008065774.tif 000012
【図１１】
2008065774.tif 000013
【図１２】
2008065774.tif 000014
【図１３】
2008065774.tif 000015
【図１４】
2008065774.tif 000016
【図１５】
2008065774.tif 000017
【図１６】
2008065774.tif 000018
【図１７】
2008065774.tif 000019